(57)【要約】【課題】使用性及び携帯性に優れ、エコで便利な本考案のエコポータブル食器を提供する。【解決手段】エコポータブル食器は、上筐体１、下筐体２及び食器本体３を備える。上筐体１は、筐状壁面１１を有する。筐状壁面１１の両側には、下向きに延びた保持翼片１２が延設される。２つの保持翼片１２上には、係合突部１３がそれぞれ延設される。下筐体２は、筐状壁面２１を有する。筐状壁面２１の内面には、収容槽部が凹設される。食器本体３は、作用端３１と、作用端３１と対をなす位置決め端３２とを有する。位置決め端３２上には、少なくとも１つの位置決め孔３３が形成される。位置決め孔３３は、係合点２７３に対応する。食器本体３の位置決め端３２の位置決め孔３３には、係合片２７の係合点２７３が係合される。食器本体３は、作用端３１が収容空間内に収容されるか、作用端３１が収容空間から離れる方向に延びた状態で固定される。【選択図】図１
0003229941.tif 000002
【実用新案登録請求の範囲】
【請求項１】
上筐体、下筐体及び食器本体を備えた、エコポータブル食器であって、
前記上筐体は、筐状壁面を有し、前記筐状壁面の両側には、下向きに延びた保持翼片が延設され、２つの前記保持翼片上には、係合突部がそれぞれ延設され、
前記下筐体は、筐状壁面を有し、前記筐状壁面の内面には、収容槽部が凹設され、前記筐状壁面の両側には、保持溝部が形成され、２つの前記保持溝部と２つの前記保持翼片とがそれぞれ対応し、２つの前記保持溝部上には、係合凹部がそれぞれ設けられ、前記係合凹部は前記係合突部に対応し、互いに係合位置決めし、前記下筐体の一端が首部に成形され、前記首部上には、開口部が形成され、前記開口部に隣接した前記下筐体の一端の孔縁には、係合片の根本部が接続され、前記係合片上の前記根本部と対となる端部は、自由端に成形されるとともに、係合点を有し、
前記食器本体は、作用端と、前記作用端と対をなす位置決め端と、を有し、前記位置決め端上には、少なくとも１つの位置決め孔が形成され、前記位置決め孔は、前記係合点に対応し、
前記上筐体と前記下筐体とが対応して組み合わされ、２つの前記保持翼片が２つの前記保持溝部に対応するように嵌合され、前記係合突部が前記係合凹部に対応して嵌合されると、前記上筐体と前記下筐体と組み合わせて閉じて固定し、前記上筐体と前記下筐体との間に形成された収容空間中に前記食器本体が収容され、
前記食器本体の前記位置決め端の前記位置決め孔には、前記係合片の前記係合点が係合され、
前記食器本体は、前記作用端が前記収容空間内に収容されるか、前記作用端が前記収容空間から離れる方向に延びた状態で固定されることを特徴とする、
エコポータブル食器。
【請求項２】
前記食器本体の前記位置決め端の末端には、標示造型部が設けられ、前記標示造型部は、前記上筐体と前記下筐体とを組み合わせて閉じて前記食器本体を収容する状態下で、前記上筐体及び前記下筐体から外側に延びていることを特徴とする請求項１に記載のエコポータブル食器。
【請求項３】
前記食器本体の前記作用端はフォーク、スプーン又はへらであることを特徴とする請求項１又は２に記載のエコポータブル食器。
【考案の詳細な説明】
【技術分野】
【０００１】
本考案は、エコポータブル食器に関し、特に、分解して組み立てると使用可能な状態となる上、組立てて収納可能な状態にすることもでき、使用性及び携帯性に優れ、エコで便利なエコポータブル食器に関する。
【背景技術】
【０００２】
消費者の環境保護に対する意識の高まりに伴い、使い捨ての食器を使用せず、自ら食器を携行する者が徐々に増えてきた。このように自ら食器を携帯する時代の流れに鑑み、従来から関連メーカーにより使用者が携帯し易い様々な種類の食器セットが市販されていた。
【０００３】
例えば、特許文献１の「改良食器及び食器ケース構造」は、上方に開口した収容空間を有する筐体と、収容空間内に設置され、複数の収容槽を有する位置決め片と、位置決め片の複数の収容槽内にそれぞれ位置決めされた複数の食器と、筐体を閉じて収容空間を密閉する上蓋と、を含む。
【０００４】
例えば、特許文献２の「食器設置ベース」は、ベース及び遮蔽蓋を含み、この遮蔽蓋は、ベースに着脱可能に接続され、遮蔽蓋とベースとの間には、収容空間と、収容空間に連通した投入口と、が形成され、ベース及び遮蔽蓋のうちの少なくとも１つは、投入口に隣り合う案内部を含み、食器の一端を案内して収容空間に投入する。
【０００５】
例えば、特許文献３の「ポータブル食器セット改良」は、第１の箸体及び第２の箸体を含み、第１の箸体の端部には、第１の箸部が延設され、第１の箸部に対応した他方の端部には、フォーク部が延設され、第１の箸部及びフォーク部は、第１の接続部により互いに接続され、第１のフォーク部は、上円弧度を有する態様である。第２の箸体の端部には、第２の箸部が延設され、第２の箸部に対応した他方の端部には、フック部が延設されている。第２の箸部及びフック部は、第２の接続部により互いに接続される。第２の箸部は、上円弧度を有する態様である。
【０００６】
例えば、特許文献４の「折り畳み式食器」は、本体及びハンドルを含み、本体は食べ物を処理するために用い、ハンドルは、複数の把持部が互いに枢着されて構成され、その一端が本体に枢着される。各把持部は、本体に向かう方向で旋回可能であり、把持部及び本体は互いに重なって収納状態となるか、各把持部を本体から離れる方向で旋回させ、把持部が本体とは重ならず、本体の中心線上にそれぞれ位置して展開状態となったが、各把持部間の枢着部位の摩擦力、又はハンドルと本体との間の枢着部位の摩擦力は、それらの間で自由に旋回可能な摩擦力よりも大きくなければならなかった。
【０００７】
こうした現状に鑑み、本考案者は鋭意研究を重ねた結果、使用性及び携帯性に優れ、エコで便利な本考案のエコポータブル食器を完成したものである。
【先行技術文献】
【特許文献】
【０００８】
【特許文献１】台湾実用新案公告第Ｍ５７１１５９号公報
【特許文献２】台湾実用新案公告第Ｍ５４７９１０号公報
【特許文献３】台湾実用新案公告第Ｍ５２５１３５号公報
【特許文献４】台湾実用新案公告第Ｍ４２９４２８号公報
【考案の概要】
【考案が解決しようとする課題】
【０００９】
本考案の主な目的は、分解・組立てて使用状態又は収納状態にすることができ、食器は使用性及び携帯性に優れたエコポータブル食器を提供することにある。
【課題を解決するための手段】
【００１０】
上記課題を解決するために、本考案の第１の形態によれば、上筐体、下筐体及び食器本体を備えた、エコポータブル食器であって、前記上筐体は、筐状壁面を有し、前記筐状壁面の両側には、下向きに延びた保持翼片が延設され、２つの前記保持翼片上には、係合突部がそれぞれ延設され、前記下筐体は、筐状壁面を有し、前記筐状壁面の内面には、収容槽部が凹設され、前記筐状壁面の両側には、保持溝部が形成され、２つの前記保持溝部と２つの前記保持翼片とがそれぞれ対応し、２つの前記保持溝部上には、係合凹部がそれぞれ設けられ、前記係合凹部は前記係合突部に対応し、互いに係合位置決めし、前記下筐体の一端が首部に成形され、前記首部上には、開口部が形成され、前記開口部に隣接した前記下筐体の一端の孔縁には、係合片の根本部が接続され、前記係合片上の前記根本部と対となる端部は、自由端に成形されるとともに、係合点を有し、前記食器本体は、作用端と、前記作用端と対をなす位置決め端と、を有し、前記位置決め端上には、少なくとも１つの位置決め孔が形成され、前記位置決め孔は、前記係合点に対応し、前記上筐体と前記下筐体とが対応して組み合わされ、２つの前記保持翼片が２つの前記保持溝部に対応するように嵌合され、前記係合突部が前記係合凹部に対応して嵌合されると、前記上筐体と前記下筐体と組み合わせて閉じて固定し、前記上筐体と前記下筐体との間に形成された収容空間中に前記食器本体が収容され、前記食器本体の前記位置決め端の前記位置決め孔には、前記係合片の前記係合点が係合され、前記食器本体は、前記作用端が前記収容空間内に収容されるか、前記作用端が前記収容空間から離れる方向に延びた状態で固定されることを特徴とする、エコポータブル食器を提供する。
【００１１】
前記食器本体の前記位置決め端の末端には、標示造型部が設けられ、前記標示造型部は、前記上筐体と前記下筐体とを組み合わせて閉じて前記食器本体を収容する状態下で、前記上筐体及び前記下筐体から外側に延びていることが好ましい。
【００１２】
前記食器本体の前記作用端はフォーク、スプーン又はへらであることが好ましい。
【考案の効果】
【００１３】
本考案のエコポータブル食器は、以下（１）及び（２）の効果を有する。
（１）上下筐体を互いに組み合わせて閉じて収容空間を形成し、携帯し易いようにその収容空間中に食器本体を収容するか、食器本体の作用端を外方へ延ばし、互いに組み合わせて閉じた上下筐体を手で握る把持部として用いることができるため、使用者は食べ物が取り易く、利便性が高い。
（２）食器本体の蓋を閉じて収納する際、上下筐体から標示造型部が突出しているため、使用者は外観から食器がフォーク、スプーン又はへらであることが直感的に分かり、容易に選択して使用することができる。
【図面の簡単な説明】
【００１４】
【図１】本考案の一実施形態に係るエコポータブル食器を示す分解斜視図である。
【図２】本考案の一実施形態に係るエコポータブル食器の収納状態を示す組立斜視図である。
【図３】図２の線Ａ−Ａに沿った断面図である。
【図４】図３の線Ｂ−Ｂに沿った断面図である。
【図５】本考案の一実施形態に係るエコポータブル食器の上下筐体と食器本体とを組み合わせて使用可能な状態にする分解斜視図である。
【図６】本考案の一実施形態に係るエコポータブル食器の上下筐体と食器本体（フォーク）とを組み合わせて使用可能な状態にする側面図である。
【図７】本考案の一実施形態に係るエコポータブル食器の上下筐体と食器本体（フォーク）とを組み合わせて使用可能な状態にした斜視図である。
【図８】本考案の一実施形態に係るエコポータブル食器の上下筐体と食器本体（フォーク）とを組み合わせて使用可能な状態にした側面図である。
【図９】本考案の一実施形態に係るエコポータブル食器の上下筐体と食器本体（スプーン）とを組み合わせて使用可能な状態にした斜視図である。
【考案を実施するための形態】
【００１５】
本考案の技術手段及びそれにより達成可能な効果を、より完全かつ明白に開示するために、開示した添付の図面及び符号と併せて本考案を以下に詳説する。
【００１６】
まず、図１及び図２を参照する。図１及び図２に示すように、本考案の一実施形態に係るエコポータブル食器は、上筐体１と、上筐体１に対応するように組み合わせて閉じる下筐体２と、上筐体１と下筐体２との間に収容又は結合させる食器本体３と、を含む。
【００１７】
上筐体１は、筐状壁面１１を有する。筐状壁面１１の両側には、下向きに延びた保持翼片１２が延設される。２つの保持翼片１２上には、係合突部１３がそれぞれ延設され、好ましくは上筐体１の一端を縮径の首部１４に成形する。
【００１８】
下筐体２は、筐状壁面２１を有する。筐状壁面２１の内面には、収容槽部２２が凹設されている。筐状壁面２１の外側両面には、保持溝部２３が形成されている。２つの保持溝部２３と２つの保持翼片１２とは、互いに対応して嵌着可能であり、２つの保持溝部２３上には、係合凹部２４がそれぞれ形成され、係合凹部２４を係合突部１３に対応させて係合位置決めさせる。好ましくは、下筐体２の一端が上筐体１の一端に対応し、縮径の首部２５が成形される。
首部２５上には、開口部２６が形成され、開口部２６に隣接した下筐体２の一端の孔縁には、係合片２７の根本部２７１が接続され、係合片２７上の根本部２７１と対となる一端は、自由端２７２に成形され、自由端２７２上には、係合点２７３が形成される。
【００１９】
食器本体３は、作用端３１と、作用端３１と対をなす位置決め端３２と、を有する。作用端３１は、スプーン、フォーク又はへらでもよい。位置決め端３２上には、少なくとも１つの位置決め孔３３が形成される。位置決め孔３３は、係合点２７３に対応する。本実施形態において、食器本体３の位置決め端３２上には、２つの位置決め孔３３が形成される。
係合点２７３は、食器本体３と上筐体１及び下筐体２とが結合される方向に応じて、異なる位置決め孔３３に係合される。食器本体３を上筐体１及び下筐体２に結合させるとき、係合点２７３を位置決め孔３３に係合させることができる限り、位置決め孔３３の数は１つのみでもよい。
【００２０】
図２〜図５を参照する。図２〜図５に示すように、本実施形態の食器を使用しないときは、食器本体３の作用端３１を下筐体２の収容槽部２２に対応する方向で設置し、下筐体２の係合点２７３を位置決め孔３３中に対応して嵌入させ、食器本体３を下筐体２内に固定させる。続いて、上筐体１を下筐体２の首部２５の一端から接触させながら滑入させ、保持翼片１２を保持溝部２３に対応するように嵌合させて上筐体１を滑入方向へ案内し、係合突部１３が係合凹部２４に対応して嵌着されると、上筐体１と下筐体２とが組み合わされて閉じる。上筐体１及び下筐体２で覆うことにより、上筐体１と下筐体２との間に形成された収容空間中に食器本体３が収容される。
【００２１】
本実施形態に係るエコポータブル食器は、食器本体３の位置決め端３２の末端に標示造型部３４を有する。標示造型部３４は、上筐体１及び下筐体２を組み合わせて閉じて食器本体３を収容した状態下で、上筐体１及び下筐体２から突出されているため、使用者は上筐体１及び下筐体２内に収容した食器本体３の作用端３１がフォーク、スプーン又はへらであることを外側から見て分かるため、容易に使用できる。
【００２２】
図５を参照する。図５に示すように、本実施形態に係る食器を使用して食事をする場合、上筐体１及び下筐体２を開いて食器本体３を取出してから、上筐体１及び下筐体２を組み合わせて閉じた後、食器本体３の作用端３１をチャンバ空間と反対の方向に設置し、食器本体３の位置決め端３２を上筐体１及び下筐体２の首部１４，２５間に形成された収容空間（図６〜図８を併せて参照する）に挿入させる。すると、下筐体２の係合片２７上の係合点２７３が、食器本体３の位置決め孔３３中に対応して係入され、食器本体３が固定される。上筐体１と下筐体２とを組み合わせて閉じると、使用者が手で持つことができる部材に成形される。このため、使用者は食器本体３の作用端３１を用いて食べ物を容易にすくうことができる。
【００２３】
図６〜図８を参照する。図６〜図８は、食器本体３の作用端３１をフォークとして使用する状態を示す。図９は、食器本体３の作用端３１をスプーンとして使用する状態を示す。
【符号の説明】
【００２４】
１  上筐体
２  下筐体
３  食器本体
１１  筐状壁面
１２  保持翼片
１３  係合突部
１４  首部
２１  筐状壁面
２２  収容槽部
２３  保持溝部
２４  係合凹部
２５  首部
２６  開口部
２７  係合片
３１  作用端
３２  位置決め端
３３  位置決め孔
３４  標示造型部
２７１  根本部
２７２  自由端
２７３  係合点
【図１】
0003229941.tif 000003
【図２】
0003229941.tif 000004
【図３】
0003229941.tif 000005
【図４】
0003229941.tif 000006
【図５】
0003229941.tif 000007
【図６】
0003229941.tif 000008
【図７】
0003229941.tif 000009
【図８】
0003229941.tif 000010
【図９】
0003229941.tif 000011